(57)【要約】【課題】吸収層を備えた後方フラップを有する吸収性物品において、該吸収層に吸収された体液が後方フラップの周縁部から漏れ出しにくい吸収性物品を提供すること。【解決手段】本体吸収層（２１、２３）及び本体防漏層２２を備えた実質的に縦長の吸収性本体２と、吸収性本体２における少なくとも後方部の両側部それぞれから幅方向外方に延出する一対の後方フラップ３とを有する吸収性物品１であって、後方フラップ３は、フラップ吸収層（３１，３３）及びフラップ防漏層３２を備えており、フラップ防漏層３２には、フラップ吸収層（３１，３３）からフラップ防漏層３２に向けて凹状構造が形成されている。【選択図】図２
2008048996.tif 000002
【特許請求の範囲】
【請求項１】
本体吸収層及び本体防漏層を備えた実質的に縦長の吸収性本体と、該吸収性本体における少なくとも後方部の両側部それぞれから幅方向外方に延出する一対の後方フラップとを有する吸収性物品であって、
前記後方フラップは、フラップ吸収層及びフラップ防漏層を備えており、
前記フラップ防漏層には、前記フラップ吸収層から該フラップ防漏層に向けて凹状構造が形成されている吸収性物品。
【請求項２】
前記フラップ防漏層の凹状構造によって、前記フラップ吸収層と該フラップ防漏層とは平面方向に非連続的に接触している請求項１記載の吸収性物品。
【請求項３】
前記フラップ防漏層の凹状構造は、その深さが０．０５〜５ｍｍである請求項１又は２に記載の吸収性物品。
【請求項４】
前記フラップ吸収層は、フラップ表面シート及びフラップ吸収体を備えており、
前記フラップ吸収体は、シート状に形成され、非肌当接面側の密度が肌当接面側の密度よりも低くなっている請求項１〜３の何れかに記載の吸収性物品。
【請求項５】
前記フラップ吸収層は、フラップ表面シート及びフラップ吸収体を備えており、
前記後方フラップにおいて、前記フラップ表面シート及び前記フラップ防漏層は何れも前記フラップ吸収体に接合されている請求項１〜４の何れかに記載の吸収性物品。
【発明の詳細な説明】
【技術分野】
【０００１】
本発明は、生理用ナプキン、パンティライナー（おりものシート）、失禁パッド等の吸収性物品に関する。
【背景技術】
【０００２】
生理用ナプキン等の吸収性物品には、吸収層及び防漏層を備えた吸収性本体と、該吸収性本体の両側部それぞれから幅方向外方に延出する一対の後方フラップとを有するものがある。後方フラップとは、吸収性本体から延出した状態で折り返されることなくショーツ等の下着に装着されて用いられるもので、下着のクロッチ部の外面側に折り返されて用いられるウイング部とは異なるものである。
また、後方フラップを有する生理用ナプキンにおいて、後方フラップに吸収層（以下「フラップ吸収層」という）を設け、吸収性本体から溢れた体液を後方フラップにおいて吸収できるようにして、生理用ナプキン全体としての防漏性を向上させる技術が知られている（例えば、下記特許文献１参照）。
【０００３】
【特許文献１】特開２０００−１８９４５９号公報
【発明の開示】
【発明が解決しようとする課題】
【０００４】
しかし、特許文献１記載の生理用ナプキンにおいては、フラップ吸収層とフラップ防漏層（後方フラップの下面を形成する防漏層）との界面の空間の大きさは極めて小さくなっている。そのため、後方フラップにおいて、フラップ吸収層に吸収された体液は、厚み方向に移動した後、毛管力により、フラップ吸収層とフラップ防漏層との界面の空間を過度に拡散しやすく、これに起因してフラップ吸収層に一旦吸収された体液が後方フラップの周縁部から漏れ出しやすい。このような現象は、フラップ吸収層の液拡散性が低い場合に特に顕著に発生する。
【０００５】
従って、本発明の目的は、吸収層を備えた後方フラップを有する吸収性物品において、該吸収層に吸収された体液が後方フラップの周縁部から漏れ出しにくい吸収性物品を提供することにある。
【課題を解決するための手段】
【０００６】
本発明は、本体吸収層及び本体防漏層を備えた実質的に縦長の吸収性本体と、該吸収性本体における少なくとも後方部の両側部それぞれから幅方向外方に延出する一対の後方フラップとを有する吸収性物品であって、前記後方フラップは、フラップ吸収層及びフラップ防漏層を備えており、前記フラップ防漏層には、前記フラップ吸収層から該フラップ防漏層に向けて凹状構造が形成されている吸収性物品を提供することにより、上記目的を達成したものである。
【発明の効果】
【０００７】
本発明によれば、吸収層を備えた後方フラップを有する吸収性物品において、該吸収層に吸収された体液が後方フラップの周縁部から漏れ出しにくい。
【発明を実施するための最良の形態】
【０００８】
以下、本発明の吸収性物品について、その好ましい一実施形態（第１実施形態）に基づき図面を参照しながら説明する。
本実施形態の吸収性物品は、生理用ナプキン１であり、図１〜図３に示すように、本体吸収層（２１，２３）及び本体防漏層２２を備えた実質的に縦長の吸収性本体２と、吸収性本体２における少なくとも後方部Ｂの両側部それぞれから幅方向外方に延出する一対の後方フラップ３，３と、吸収性本体２における前方部Ａの両側部それぞれから幅方向外方に延出する一対のウイング部４，４とを有している。
【０００９】
吸収性本体２において、「前方部Ａ」とは、使用時において着用者の前方側に位置する部分を意味し、具体的には、吸収性本体２の長手方向中央部よりも前側に位置する部分である。また、「後方部Ｂ」とは、使用時において着用者の後方側に位置する部分を意味し、具体的には、吸収性本体２の長手方向中央部よりも後側に位置する部分である。「少なくとも後方部Ｂ」とは、後方フラップ３の一部が前方部Ａから延出している形態を含む意味である。
【００１０】
また、特に明記のない限り、「長手方向」とは、吸収性物品（吸収性本体２）の長手方向に沿う方向であり、「幅方向」とは、吸収性物品（吸収性本体２）の幅方向に沿う方向である。また、「上面」及び「下面」とは、それぞれ展開状態における上面及び下面のことである。
【００１１】
吸収性本体２は、図２に示すように、本体吸収層（２１，２３）及び本体防漏層２２を備えている。本体吸収層（２１，２３）は、液透過性の本体表面シート２１及び液保持性の本体吸収体２３からなる。本体吸収体２３は、平面視で略長方形形状を有している。本体吸収体２３は、上層本体吸収体２３ａと下層本体吸収体２３ｂとの積層体からなる。本体表面シート２１は、本体吸収体２３の上面全域を被覆している。
【００１２】
本体防漏層２２は、液不透過性又は撥水性の本体裏面シートからなる。本体裏面シート２２は、本体吸収体２３の下面全域を被覆している。
吸収性本体２の上面には、図１に示すように、本体表面シート２１から本体吸収体２３に向けて凹んだ圧搾溝Ｄが設けられている。圧搾溝Ｄは、例えばヒートエンボス加工により形成され、本体表面シート２１と本体吸収体２３とを一体化している。
このように、吸収性本体２は、本体表面シート２１、本体吸収体２３及び本体裏面シート２２の順で積層した積層体からなる。
【００１３】
後方フラップ３は、図１に示すように、吸収性本体２から延出した状態で折り返されることなくショーツ等の下着に装着されて用いられるものである。ただし、後方フラップ３は、生理用ナプキンの個装形態等においてコンパクトにするために吸収性本体２の上面側又は下面側に折り返してもよい。
後方フラップ３を有する生理用ナプキン１の長さは、２６ｃｍ以上、好ましくは３０ｃｍ以上である。後方フラップ３の（片側の）幅（生理用ナプキンの幅方向に沿う幅）は、１ｃｍ以上、好ましくは３ｃｍ以上である。後方フラップ３の幅は、個装形態から生理用ナプキンを取り出す際の取り扱い易さや生理用ナプキンの装着し易さの観点から、吸収性本体２の幅よりも短い方が好ましい。本実施形態における後方フラップ３は、後方部Ｂに配されており、前方部Ａから後方部Ｂに向けて幅が拡がる形状を有している。
【００１４】
後方フラップ３は、図２に示すように、フラップ吸収層（３１，３３）及びフラップ防漏層３２を備えている。フラップ吸収層（３１，３３）は、液透過性のフラップ表面シート３１及び液保持性のフラップ吸収体３３からなる。フラップ吸収体３３は、平面視で、後方フラップ３を一回り小さくした形状を有している。フラップ表面シート３１は、フラップ吸収体３３の上面全域を被覆している。
フラップ防漏層３２は、液不透過性又は撥水性のフラップ裏面シートからなる。フラップ裏面シート３２は、フラップ吸収体３３の下面全域を被覆している。
このように、後方フラップ３は、フラップ表面シート３１、フラップ吸収体３３及びフラップ裏面シート３２の順で積層した積層体からなる。
【００１５】
ウイング部４は、下着のクロッチ部の外面側に折り返されて用いられるもので、その位置、平面視形状等が異なる以外は、後方フラップ３と同様の構成を有している。本実施形態におけるウイング部４は、図１に示すように、下底（上底よりも長い辺）が吸収性本体２の側部側に位置する略台形形状を有している。
具体的には、ウイング部４は、図３に示すように、液透過性のウイング表面シート４１、液保持性のウイング吸収体４３及び液不透過性又は撥水性のウイング裏面シート４２の順で積層した積層体からなる。ウイング吸収体４３は、平面視で、ウイング部４を一回り小さくした形状を有している。ウイング表面シート４１は、ウイング吸収体４３の上面全域を被覆している。ウイング裏面シート４２は、ウイング吸収体４３の下面全域を被覆している。
このように、ウイング部４は、ウイング表面シート４１、ウイング吸収体４３及びウイング裏面シート４２の順で積層した積層体からなる。
【００１６】
吸収性本体２、後方フラップ３及びウイング部４を構成する前記各部材は、それぞれ別体で構成することもできるが、複数の部材を一体的に構成することもできる。
本実施形態においては、図２及び図３に示すように、本体表面シート２１、一対のフラップ表面シート３１，３１及び一対のウイング表面シート４１，４１は、一つの一体表面シート１１から形成されている。また、本体裏面シート２２、一対のフラップ裏面シート３２，３２及び一対のウイング裏面シート４２，４２は、一つの一体裏面シート１２から形成されている。
【００１７】
また、下層本体吸収体２３ｂ、一対のフラップ吸収体３３，３３及び一対のウイング吸収体４３，４３は、一つの一体吸収体１３から形成され、一体化している（直接的な一体化）。一体吸収体１３は、それぞれ別体の下層本体吸収体２３ｂ、フラップ吸収体３３及びウイング吸収体４３を、一部重ね合わせることにより形成することもできる（間接的な一体化）。
【００１８】
別の見方をすると、フラップ吸収体３３及びウイング吸収体４３は、吸収性本体２に亘って延在し、本体吸収体２３の一部（下層本体吸収体２３ｂ）と直接的あるいは間接的に一体化している。
フラップ吸収体３３が吸収性本体２に亘って延在し、本体吸収体２３の一部と一体化していると好ましい理由は、次の通りである。フラップ吸収体３３においては、体液は、本体吸収体２３を介して間接的に又は直接的に、フラップ吸収体３３における吸収性本体２近傍の領域に吸収される場合が多い。そのような場合においても、フラップ吸収体３３と一体化している本体吸収体２３の存在により、フラップ吸収体３３における吸収性本体２近傍の領域に吸収された体液は、吸収ポイントから同心円状に徐々に拡散することができるため、後方フラップ３の周縁部から漏れ出しにくい。
【００１９】
なお、フラップ吸収体３３と本体吸収体２３とが一体化されておらず、それぞれ独立（分離）している場合には、吸収性本体２による液の拡散の影響を受け難い。
また、上層本体吸収体２３ａと一体吸収体１３とは、別体となっている。
【００２０】
一体表面シート１１は、上層本体吸収体２３ａ及び一体吸収体１３の集合体（２３ａ，１３）の上面全域を被覆している。一体表面シート１１の周縁部は、集合体（２３ａ，１３）の周縁部から延出している。
また、一体裏面シート１２は、一体吸収体１３の下面全域を被覆している。一体裏面シート１２の周縁部は、一体吸収体１３の周縁部から延出している。
そして、集合体（２３ａ，１３）の周縁部から延出している、一体表面シート１１の周縁部と一体裏面シート１２の周縁部とは、ヒートシール、ホットメルト接着剤等により接合されている。別の見方をすると、フラップ表面シート３１とフラップ裏面シート３２とはフラップ吸収体３３の周縁部の外方において接合されている。同様に、ウイング表面シート４１とウイング裏面シート４２とはウイング吸収体４３の周縁部の外方において接合されている。
【００２１】
フラップ裏面シート（フラップ防漏層）３２には、図４に示すように、フラップ吸収層（フラップ表面シート３１，フラップ吸収体３３）からフラップ裏面シート３２に向けて凹んだ凹状構造が形成されている。
この凹状構造は、本実施形態においては、図４及び図５に示すように、フラップ裏面シート３２に、その内面から外面に向けて凹んだドット状のフラップ凹部５を千鳥配置で設けることにより形成されている。尚、フラップ裏面シート３２の内面におけるフラップ凹部５以外の面を基面３２ａという。
【００２２】
ドット状のフラップ凹部５の平面視面積は、好ましくは０．１〜１０ｍｍ2、更に好ましくは０．５〜５ｍｍ2である。ドット状のフラップ凹部５の密度（単位面積あたりの個数）は、好ましくは４〜２０個／ｃｍ2、更に好ましくは５〜１５個／ｃｍ2である。ドット状のフラップ凹部５の平面視形状は、本実施形態においては円形であるが、例えば、楕円形、矩形や、特定の形態を有さない不定形でもよい。
ドット状のフラップ凹部５は、フラップ裏面シート３２に全面的に設けられていることが好ましいが、部分的に設けられていてもよい。
【００２３】
本実施形態のように、フラップ裏面シート（フラップ防漏層）３２にフラップ凹部５を設けることにより凹状構造を形成している場合には、フラップ凹部５の深さが凹状構造の深さとなる。フラップ裏面シート３２の凹状構造の深さは、好ましくは０．０５〜５ｍｍである。詳述すると、フラップ凹部５の平面視形状が円形、楕円形や矩形等の定形の場合には、フラップ裏面シート３２の凹状構造の深さは、該凹状構造が液の保持構造体として働きやすく、保持された液の表面張力による液の拡散抑制効果を奏しやすくさせる観点から、好ましくは０．１〜５ｍｍ、更に好ましくは０．２〜２ｍｍである。
【００２４】
また、フラップ凹部５の平面視形状が不定形、特に繊維様のパターン（すなわち、線状の凹部）である場合には、フラップ裏面シート３２の凹状構造は、液の保持構造体として働くよりも上記の液の拡散抑制効果を奏することが主となるため、好ましくは０．０１〜０．５ｍｍ、さらに好ましくは０．０２〜０．２ｍｍである。
【００２５】
このようなフラップ裏面シート（フラップ防漏層）３２の凹状構造によって、フラップ吸収体３３とフラップ裏面シート３２とは、平面方向に非連続的に接触している。本実施形態においては、フラップ吸収体３３とフラップ裏面シート３２とは、フラップ裏面シート３２の基面３２ａにおいて、平面方向に非連続的に接触することになる。
この結果、主として重力、さらにフラップ吸収体３３の構造等の要因によって、フラップ吸収体３３に吸収された液は、フラップ裏面シート３２とフラップ吸収体３３との境界領域に移動し、そこで拡散を起こし易いが、フラップ裏面シート３２の凹状構造に起因して、前述の液の拡散抑制効果が奏される。
【００２６】
後方フラップ３において、フラップ表面シート３１及びフラップ裏面シート（フラップ防漏層）３２は何れもフラップ吸収体３３に接合されている。この接合には、例えばホットメルト接着剤が用いられる。接着剤の塗工形状は、特に制限されず、例えば、面状（いわゆるべた塗り）、スパイラル状、長手方向又は幅方向に延びるストライプ状、Ω状、ドット状である。
【００２７】
本実施形態においては、フラップ裏面シート３２とフラップ吸収体３３とは、フラップ裏面シート３２の基面３２Ａに塗工された接着剤（図示せず）により非連続的に接合することができる。
また、フラップ裏面シート３２とフラップ吸収体３３とを積層した状態で、フラップ裏面シート３２の外面から内面に向けてエンボス加工を施し、両者を圧着又は融着により一体化することもできる。この一体化加工においては、フラップ裏面シート３２におけるエンボス加工が施されなかった部分がエンボス加工が施された部分に対して相対的に凹み、フラップ凹部５が形成される。エンボス加工が施された部分の一部は基面３２ａを構成することになる。
【００２８】
吸収性本体２の本体裏面シート２２においても、後方フラップ３のフラップ裏面シート３２と同様に、本体凹部（図示せず）が設けられて、凹状構造が形成されている。このような本体裏面シート２２の凹状構造によって、本体吸収体２３と本体裏面シート２２とは、平面方向に非連続的に接触することになる。
【００２９】
吸収性本体２の本体裏面シート２２の凹状構造及び後方フラップ３のフラップ裏面シート３２の凹状構造は、同じ構造が採用されても良く、異なる構造が採用されていても良い。しかしながら、フラップ裏面シート３２の凹状構造の液保持機能による前述の液の拡散抑制効果を利用することが好ましいことを考慮すると、フラップ裏面シート３２の凹状構造が不定形である場合には、定形の構造体による加工によって、定形の凹状構造が単独で形成されている状態、又は不定形の凹状構造と定形の凹状構造とが併用された状態とすることにより、また、フラップ裏面シート３２の凹状構造が定形である場合には、凹状構造の面積・密度・厚み等を適宜設定することにより、フラップ裏面シート３２の凹状構造の容積を吸収性本体２の本体裏面シート２２の凹状構造の容積よりも１０〜３０％程度大きく形成することが好ましい。
また、非連続的な接触による液の拡散抑制効果をより高めるため、吸収性本体２と後方フラップ３との間に、凹状構造を設けない離間領域を形成することもできる。該離間領域は、長手方向に延びる帯状に設けられることが好ましい。
【００３０】
吸収性本体２において、本体裏面シート２２は本体吸収体２３に接合されている。この接合には、例えばホットメルト接着剤が用いられる。接着剤の塗工形状は、特に制限されず、例えば、面状（いわゆるべた塗り）、スパイラル状、長手方向又は幅方向に延びるストライプ状、Ω状、ドット状である。本実施形態においては、本体裏面シート２２と本体吸収体２３とは、本体裏面シート２２の基面（本体裏面シート２２の内面における前記本体凹部以外の面）に塗工された接着剤により非連続的に接合されている。
【００３１】
ウイング部４のウイング裏面シート４２においても、後方フラップ３におけるフラップ裏面シート３２と同様に、ウイング凹部（図示せず）が設けられて、凹状構造が形成されている。
前述の後方フラップ３におけるフラップ裏面シート３２の凹状構造に関する説明は、吸収性本体２の本体裏面シート２２及びウイング部４のウイング裏面シート４２の凹状構造に適宜適用される。
吸収性本体２、後方フラップ３及びウイング部４の下面には、即ち、一体裏面シート１２の下面の所定位置には、ズレ止め材として、それぞれ本体粘着部、フラップ粘着部及びウイング粘着部（何れも図示せず）が設けられている。
【００３２】
上層本体吸収体２３ａは、吸収性物品における吸収体として従来から用いられているものを特に制限なく用いることができる。上層本体吸収体２３ａは、嵩高で、液保持能が高いものが好ましい。
下層本体吸収体２３ｂ、フラップ吸収体３３及びウイング吸収体４３は、即ち、一体吸収体１３は、シート状に形成されていることが好ましく、特に、液拡散性の低いシート状材料から形成されていることが好ましい。該シート状材料の具体例としては、パルプを積繊し、バインダーで固定した乾式パルプシート〔商品名「ＪＳ−５０ＨＢ」ハビックス（株）製等〕や、湿式吸収紙にエンボス加工したエンボス吸収紙等が挙げられ、そのうち、コストの点からエンボス吸収紙が特に好ましい。
【００３３】
フラップ吸収体３３及びウイング吸収体４３は、本体吸収体２３から溢れた体液を吸収する補足的なもので、液吸収時の拡散性が低いものが好ましい。具体的には、１ｇの生理食塩水を吸収体の約１ｃｍ上方から滴下した後、１分後の吸収面積が８０ｃｍ2以下であるものが好ましく、５０ｃｍ2以下であるものが更に好ましい。吸収面積を８０ｃｍ2以下とすることにより、液の拡散を遅くすることができ、体液がフラップ吸収体３３及びウイング吸収体４３を過度に拡散して漏れることを防止できる。
【００３４】
前記エンボス吸収紙は、エンボス加工を施すことにより、吸収紙に厚みを出し、且つ液が１方向に拡散しないようにしたものである。そのエンボスパターンは特に限定されないが、１〜３０個／ｃｍ2の密度でドット状にエンボス加工されていることが好ましい。
【００３５】
フラップ吸収体３３（一体吸収体１３）は、（本体吸収体２３よりも密度が低くなされている場合には特に、）非肌当接面側の密度が肌当接面側の密度よりも低いことが好ましく、０．０５〜０．２ｇ／ｃｍ3程度低いことが更に好ましい。尚、「肌当接面側」とは、着用時に着用者の肌側に配される側であり、「非肌当接面側」とは、肌当接面側の反対側である。
これらの密度は、電子顕微鏡を用い、次のように計測する。まず、後方フラップ３を解体せずにフラップ吸収体３３の厚みを計測する。その後、フラップ吸収体３３を後方フラップ３の他の構成部材から分離して、質量及び面積を計測し、この質量、面積及び厚みから密度を算出する。この際、分離したフラップ吸収体３３の面積が２００ｃｍ2未満である場合、異なるサンプルのフラップ吸収体３３を分離してサンプルを補充する等して、サンプルの面積を２００ｃｍ2以上として密度を計測する。密度の計測は、複数のサンプルを用いて計測することが好ましい。また、フラップ吸収体３３の厚みは、毛羽を含めて計測する。
【００３６】
非肌当接面側の密度を肌当接面側の密度よりも低くする方法としては、例えば、フラップ吸収体３３の非肌当接面側から肌当接面側に向けてヒートエンボス加工を施し、その後、熱風によりフラップ吸収体３３の嵩を回復させる方法が挙げられる。
フラップ吸収体３３において、非肌当接面側の密度が肌当接面側の密度よりも低くなっていると、後方フラップ３における液の拡散抑制効果が高まり、モレ防止効果を向上できる観点から好ましい。
【００３７】
フラップ吸収体３３の密度は、これに延在している本体吸収体（本実施形態においては、下層本体吸収体２３ｂ）の密度よりも高いことが好ましく、０．０５〜０．２ｇ／ｃｍ3程度高いことが更に好ましい。
フラップ吸収体３３の密度をこれと一体化している本体吸収体の密度よりも高くする方法としては、例えば、後方フラップのみにロール間において熱および圧力を加える方法や、フラップ表面シート３１とフラップ吸収体３３とを熱エンボス加工等により接合する方法がある。
フラップ吸収体３３の密度がこれと一体化している本体吸収体の密度よりも高くなっていると、フラップ吸収体３３に吸収された体液が、これと一体化している本体吸収体に戻りにくい点で好ましい。
【００３８】
フラップ吸収体３３の座屈強度は、ヨレ防止及び装着感向上の観点から、２０〜５００ｇであることが好ましく、５０〜３００ｇであることが更に好ましい。座屈強度を２０ｇ以上とすることにより、後方フラップ３がヨレにくくなり、一方、座屈強度を５００ｇ以下とすることにより、後方フラップ３の全体が固くなり過ぎることを防止して、装着時に違和感を感じないようにすることができる。
【００３９】
前記座屈強度は、下記のようにして測定される。
〔座屈強度の測定方法〕
測定は、２０℃、６５％ＲＨ下において、１日以上放置した吸収体を用いて、この温度及び湿度条件下にて行う。
詳細には、吸収体を縦１５０ｍｍ×横３０ｍｍに切り出し、これを試料とする。この試料の長手方向端部を、その重ね合わせ部分の幅が５ｍｍとなるように重ね合わせ、輪状とする。その後、上下各１ｃｍの部分を、ステープラーにより針の長さ方向が圧縮方向と直角の方向となるように２箇所固定し、リング状のサンプルを得る。得られたリング状のサンプルを、テンシロン試験機〔商品名「ＲＴＭ−２５」東洋ボールドウィン（株）製〕の試料台に、試料の長手方向を下面にして設置する。設置後、圧縮試験モードにて測定速度１０ｍｍ／ｍｉｎで試料を圧縮し、座屈したときの最大強度を求める。別に作成した５つのサンプルについて同様に測定を行い、平均を求めて、座屈強度とする。
【００４０】
フラップ吸収体３３の厚さは、好ましい剛性及び拡散性を得るために、２．５ｇ／ｍ2荷重下において０．２〜５ｍｍであることが好ましく、０．３〜２ｍｍであることが更に好ましい。
前述のフラップ吸収体３３の各種物性に関する説明は、ウイング吸収体４３の各種物性にも適宜適用される。
【００４１】
本実施形態の生理用ナプキン１は、後方フラップ３を吸収性本体２から延出した状態で折り返することなくショーツ等の下着に装着し、ウイング部４を下着のクロッチ部の外面側に折り返して用いられる。
詳細には、本実施形態の生理用ナプキン１は、吸収性本体２をショーツのクロッチ部の内面に配設し、後方フラップ３をショーツの内面に配設し、ウイング部４をクロッチ部の外面側に折り返して、吸収性本体２、後方フラップ３及びウイング部４をそれぞれ本体粘着部、フラップ粘着部及びウイング粘着部によりショーツの内面又は外面に止着することにより、位置ズレを防止しながら装着することができる。
【００４２】
そして、本実施形態の生理用ナプキン１においては、吸収性本体２の後方部Ｂから滲出した液や、吸収されずに流れる液を、後方フラップ３で効果的に吸収できるため、後方部Ｂからの液漏れ防止性に優れる。
後方フラップ３において、仮に、フラップ裏面シート３２にフラップ凹部５が設けられておらず、凹状構造が形成されていないとすると、フラップ吸収体３３とフラップ裏面シート３２との界面には、極めて小さい空間しか形成されない。そのため、界面の空間に大きな毛管力が作用し、フラップ吸収体３３に吸収された体液は、過度に拡散し、後方フラップ３の周縁部から漏れやすい。
【００４３】
これに対し、本実施形態における後方フラップ３においては、フラップ裏面シート３２にフラップ凹部５が設けられ、凹状構造が形成されているため、フラップ吸収体３３とフラップ裏面シート３２との界面には、十分な大きさの空間が形成される。具体的は、フラップ凹部５を主体とする空間が形成される。そのため、フラップ吸収体３３に吸収された体液は、フラップ吸収体３３とフラップ裏面シート３２との界面に移動しても、十分な大きさの空間の存在により、毛管力が生じ難いと共に凹状構造（フラップ凹部５）が抵抗となって、過度の拡散が抑制される。その結果、フラップ吸収体３３に吸収された体液は、後方フラップ３の周縁部から漏れにくい。凹状構造による液の拡散抑制効果は、前述したように、凹状構造の液の保持構造体としての働き及び保持された液の表面張力に基づく。
同様に、吸収性本体２の前方部Ａから滲出した液や、吸収されずに流れる液を、ウイング部４で効果的に吸収できるため、前方部Ａからの液漏れ防止性に優れる。
【００４４】
第１実施形態においては、フラップ裏面シート（フラップ防漏層）３２の凹状構造は、例えば、図６に示すように、フラップ裏面シート３２の内面に、複数の凹条のフラップ凹部５を所定間隔をあけて平行に配列して設けることにより形成することができる。凹条のフラップ凹部５は、生理用ナプキン１の長手方向に沿って延びていることが好ましい。
また、本体吸収体２３は、上層本体吸収体２３ａをなくし、下層本体吸収体２３ｂのみの１層構造で構成することができる。
【００４５】
次に、本発明の吸収性物品の他の実施形態について説明する。他の実施形態については、上述した第１実施形態と異なる点を主として説明し、同様の点は同一の符号を付して説明を省略する。特に説明しない点は、第１実施形態についての説明が適宜適用される。
【００４６】
第２実施形態の生理用ナプキンは、図７に示すように、第１実施形態に比して、下層本体吸収体２３ｂが吸収性本体２の幅方向全域に亘っておらず、吸収性本体２の両側部近傍のみに分離して設けられている点が主として異なる。
このように構成された第２実施形態の生理用ナプキン１によれば、第１実施形態と同様の効果が奏される他、本体吸収体２３への液の戻りにくさや後方部Ｂのフィット性がより高まる効果も奏される。
【００４７】
第３実施形態の生理用ナプキン１は、図８に示すように、第２実施形態に比して、フラップ吸収体３３が、吸収性本体２に亘って延在しておらず、本体吸収体２３と一体化していない点が主として異なる。本体吸収体２３は、単層構造でも複数構造でもよい。
このように構成された第３実施形態の生理用ナプキン１によれば、第２実施形態と同様の効果が奏される他、後方フラップ３のフィット性、フラップ吸収体３３と本体吸収体２３との段差が少なくなることによる液の受け取り性、さらに本体吸収体２３の吸収容量が向上する等の効果も奏される。
【００４８】
本発明の吸収性物品は、前述した実施形態に制限されることなく、本発明の趣旨を逸脱しない限り適宜変更が可能である。
例えば、本体吸収層は、本体表面シート２１と本体吸収体２３との積層体に制限されず、両者の機能を併有する一体的な部材から構成することができる。同様に、フラップ吸収層は、フラップ表面シート３１とフラップ吸収体３３との積層体に制限されず、両者の機能を併有する一体的な部材から構成することができる。
【００４９】
ウイング部４にはウイング吸収体が設けられていなくてもよい。また、ウイング部４自体がなくてもよい。
フラップ表面シート３１及びウイング表面シート４１は、液不透過性又は撥水性のシートから構成することができる。
本発明の吸収性物品は、生理用ナプキンに制限されず、例えば、パンティライナー（おりものシート）、失禁パッドにも適用することができる。本発明の吸収性物品が装着される下着は、ショーツに制限されない。
【図面の簡単な説明】
【００５０】
【図１】図１は、本発明の吸収性物品の第１実施形態としての生理用ナプキンを示す斜視図である。
【図２】図２は、図１に示すII−II断面図である。
【図３】図３は、図１に示すIII−III断面図である。
【図４】図４は、図２の模式的部分拡大図である。
【図５】図５は、フラップ防漏層（フラップ裏面シート）の内面を示す平面図である。
【図６】図６は、フラップ防漏層の凹状構造の別の形態を示す平面図（図５対応図）である。
【図７】図７は、本発明の吸収性物品の第２実施形態としての生理用ナプキンを示す断面図（図２対応図）である。
【図８】図８は、本発明の吸収性物品の第３実施形態としての生理用ナプキンを示す断面図（図２対応図）である。
【符号の説明】
【００５１】
１  生理用ナプキン（吸収性物品）
２  吸収性本体
２１  本体表面シート
２２  本体裏面シート（本体防漏層）
２３  本体吸収体
２３ａ  上層本体吸収体
２３ｂ  下層本体吸収体
３  後方フラップ
３１  フラップ表面シート
３２  フラップ裏面シート（フラップ防漏層）
３２ａ  基面
３３  フラップ吸収体
４  ウイング部
４１  ウイング表面シート
４２  ウイング裏面シート
４３  ウイング吸収体
５  フラップ凹部
Ａ  前方部
Ｂ  後方部
【図１】
2008048996.tif 000003
【図２】
2008048996.tif 000004
【図３】
2008048996.tif 000005
【図４】
2008048996.tif 000006
【図５】
2008048996.tif 000007
【図６】
2008048996.tif 000008
【図７】
2008048996.tif 000009
【図８】
2008048996.tif 000010